(57)【要約】【課題】原稿判別不能加工として原稿画像をベタ塗りにより塗りつぶすような加工を施す場合に、色材使用量の偏りを少なくする。【解決手段】原稿を再現できないような原稿判別不能加工を画像データに施すための画像形成部の色材色を選択し（Ｓ１、Ｓ２）、原稿が再現を禁止する再現禁止原稿であると検知された場合、この選択された画像形成部の色材色を用いて原稿判別不能加工を画像データに施し、画像形成部に対して出力する。これにより、原稿判別不能加工として原稿画像をベタ塗りにより塗りつぶすような加工を施す場合に、原稿判別不能加工を施すための色材色を選択可能とすることにより、ベタ塗りに必要な色材として固定の色材のみを用いる場合に比べて、色材使用量の偏りを少なくすることができる。【選択図】        図７
2006262376.tif 000002
【特許請求の範囲】
【請求項１】
画像読取部により読み取った原稿の画像に基づいて画像データを生成し、複数色の色材により画像を形成する画像形成部に出力する画像処理装置において、
前記原稿の前記画像データから、前記原稿が再現を禁止する再現禁止原稿であるか否かを検知する再現禁止原稿検知手段と、
前記原稿を再現できないような原稿判別不能加工を前記画像データに施すための前記画像形成部の色材色を選択する色材色選択手段と、
前記再現禁止原稿検知手段により前記原稿が再現禁止原稿であると検知された場合、前記色材色選択手段により選択された前記画像形成部の色材色を用いた前記原稿判別不能加工を、前記画像データに施す原稿判別不能加工手段と、
この原稿判別不能加工手段により前記原稿判別不能加工を施した前記画像データを前記画像形成部に対して出力する画像データ出力手段と、
を備えることを特徴とする画像処理装置。
【請求項２】
前記色材色選択手段による色材色の選択は、予め決められている色材色選択の優先順位と前記画像形成部の印刷モードとに従って決定する、
ことを特徴とする請求項１記載の画像処理装置。
【請求項３】
前記画像形成部から複数色の各色材の残量の通知を受け付ける残量通知受付手段と、
この残量通知受付手段により受け付けた各色材の残量の中から残量の最も多い色材を取得する多残量色材取得手段と、
を備え、
前記色材色選択手段は、前記多残量色材取得手段により取得した前記画像形成部における複数色の色材の中で残量の最も多い色材の色を色材色として選択する、
ことを特徴とする請求項１記載の画像処理装置。
【請求項４】
前記画像形成部から複数色の各色材の使用頻度の通知を受け付ける使用頻度通知受付手段と、
この使用頻度通知受付手段により受け付けた各色材の使用頻度の中から使用頻度の最も少ない色材を取得する少頻度色材取得手段と、
を備え、
前記色材色選択手段は、前記少頻度色材取得手段により取得した前記画像形成部における複数色の色材の中で使用頻度の最も少ない色材の色を色材色として選択する、
ことを特徴とする請求項１記載の画像処理装置。
【請求項５】
前記画像形成部における複数色の色材の中から所望の色材をユーザに選択させる色材選択手段と、
この色材選択手段によりユーザに選択された所望の色材の通知を受け付けるユーザ選択通知受付手段と、
このユーザ選択通知受付手段により受け付けたユーザに選択された所望の色材を取得する選択色材取得手段と、
を備え、
前記色材色選択手段は、前記選択色材取得手段により取得した前記画像形成部における複数色の色材の中でユーザに選択された所望の色材の色を色材色として選択する、
ことを特徴とする請求項１記載の画像処理装置。
【請求項６】
前記画像形成部における複数色の色材により形成可能な所望の色をユーザに選択させる色選択手段と、
この色選択手段によりユーザに選択された所望の色を形成するのに必要な色材の通知を受け付けるユーザ選択通知受付手段と、
このユーザ選択通知受付手段により受け付けたユーザに選択された所望の色を形成するのに必要な色材を取得する選択色材取得手段と、
を備え、
前記色材色選択手段は、前記選択色材取得手段により取得したユーザに選択された所望の色を形成するのに必要な色材を色材色として選択する、
ことを特徴とする請求項１記載の画像処理装置。
【請求項７】
前記色材色選択手段における前記原稿判別不能加工に用いる色材色の選択手法を、ユーザに選択させる選択手法選択手段を更に備える、
ことを特徴とする請求項１ないし６のいずれか一記載の画像処理装置。
【請求項８】
複数色の色材により画像を形成する画像形成手段と、
原稿の画像を読み取って画像データを得る画像読取手段と、
この画像読取手段により読み取られた前記原稿の前記画像データから、前記原稿が再現を禁止する再現禁止原稿であるか否かを検知する再現禁止原稿検知手段と、
前記原稿を再現できないような原稿判別不能加工を前記画像データに施すための前記画像形成部の色材色を選択する色材色選択手段と、
前記再現禁止原稿検知手段により前記原稿が再現禁止原稿であると検知された場合、前記色材色選択手段により選択された前記画像形成部の色材色を用いた前記原稿判別不能加工を、前記画像データに施す原稿判別不能加工手段と、
この原稿判別不能加工手段により前記原稿判別不能加工を施した前記画像データを前記画像形成手段に対して出力する画像データ出力手段と、
を備えることを特徴とする画像形成装置。
【請求項９】
前記色材色選択手段による色材色の選択は、予め決められている色材色選択の優先順位と前記画像形成手段の印刷モードとに従って決定する、
ことを特徴とする請求項８記載の画像形成装置。
【請求項１０】
前記画像形成手段から複数色の各色材の残量の通知を受け付ける残量通知受付手段と、
この残量通知受付手段により受け付けた各色材の残量の中から残量の最も多い色材を取得する多残量色材取得手段と、
を備え、
前記色材色選択手段は、前記多残量色材取得手段により取得した前記画像形成手段における複数色の色材の中で残量の最も多い色材の色を色材色として選択する、
ことを特徴とする請求項８記載の画像形成装置。
【請求項１１】
前記画像形成手段から複数色の各色材の使用頻度の通知を受け付ける使用頻度通知受付手段と、
この使用頻度通知受付手段により受け付けた各色材の使用頻度の中から使用頻度の最も少ない色材を取得する少頻度色材取得手段と、
を備え、
前記色材色選択手段は、前記少頻度色材取得手段により取得した前記画像形成手段における複数色の色材の中で使用頻度の最も少ない色材の色を色材色として選択する、
ことを特徴とする請求項８記載の画像形成装置。
【請求項１２】
前記画像形成手段における複数色の色材の中から所望の色材をユーザに選択させる色材選択手段と、
この色材選択手段によりユーザに選択された所望の色材の通知を受け付けるユーザ選択通知受付手段と、
このユーザ選択通知受付手段により受け付けたユーザに選択された所望の色材を取得する選択色材取得手段と、
を備え、
前記色材色選択手段は、前記選択色材取得手段により取得した前記画像形成手段における複数色の色材の中でユーザに選択された所望の色材の色を色材色として選択する、
ことを特徴とする請求項８記載の画像形成装置。
【請求項１３】
前記画像形成手段における複数色の色材により形成可能な所望の色をユーザに選択させる色選択手段と、
この色選択手段によりユーザに選択された所望の色を形成するのに必要な色材の通知を受け付けるユーザ選択通知受付手段と、
このユーザ選択通知受付手段により受け付けたユーザに選択された所望の色を形成するのに必要な色材を取得する選択色材取得手段と、
を備え、
前記色材色選択手段は、前記選択色材取得手段により取得したユーザに選択された所望の色を形成するのに必要な色材を色材色として選択する、
ことを特徴とする請求項８記載の画像形成装置。
【請求項１４】
前記色材色選択手段における前記原稿判別不能加工に用いる色材色の選択手法を、ユーザに選択させる選択手法選択手段を更に備える、
ことを特徴とする請求項８ないし１３のいずれか一記載の画像形成装置。
【請求項１５】
画像読取部により読み取った原稿の画像に基づいて画像データを生成し、複数色の色材により画像を形成する画像形成部に出力する処理をコンピュータに実行させるプログラムであって、前記コンピュータに、
前記原稿の前記画像データから、前記原稿が再現を禁止する再現禁止原稿であるか否かを検知する再現禁止原稿検知機能と、
前記原稿を再現できないような原稿判別不能加工を前記画像データに施すための前記画像形成部の色材色を選択する色材色選択機能と、
前記再現禁止原稿検知機能により前記原稿が再現禁止原稿であると検知された場合、前記色材色選択機能により選択された前記画像形成部の色材色を用いた前記原稿判別不能加工を、前記画像データに施す原稿判別不能加工機能と、
この原稿判別不能加工機能により前記原稿判別不能加工を施した前記画像データを前記画像形成部に対して出力する画像データ出力機能と、
を実行させることを特徴とするプログラム。
【請求項１６】
前記色材色選択機能による色材色の選択は、予め決められている色材色選択の優先順位と前記画像形成部の印刷モードとに従って決定する、
ことを特徴とする請求項１５記載のプログラム。
【請求項１７】
前記画像形成部から複数色の各色材の残量の通知を受け付ける残量通知受付機能と、
この残量通知受付機能により受け付けた各色材の残量の中から残量の最も多い色材を取得する多残量色材取得機能と、
を前記コンピュータに実行させ、
前記色材色選択機能は、前記多残量色材取得機能により取得した前記画像形成部における複数色の色材の中で残量の最も多い色材の色を色材色として選択する、
ことを特徴とする請求項１５記載のプログラム。
【請求項１８】
前記画像形成部から複数色の各色材の使用頻度の通知を受け付ける使用頻度通知受付機能と、
この使用頻度通知受付機能により受け付けた各色材の使用頻度の中から使用頻度の最も少ない色材を取得する少頻度色材取得機能と、
を前記コンピュータに実行させ、
前記色材色選択機能は、前記少頻度色材取得機能により取得した前記画像形成部における複数色の色材の中で使用頻度の最も少ない色材の色を色材色として選択する、
ことを特徴とする請求項１５記載のプログラム。
【請求項１９】
前記画像形成部における複数色の色材の中から所望の色材をユーザに選択させる色材選択機能と、
この色材選択機能によりユーザに選択された所望の色材の通知を受け付けるユーザ選択通知受付機能と、
このユーザ選択通知受付機能により受け付けたユーザに選択された所望の色材を取得する選択色材取得機能と、
を前記コンピュータに実行させ、
前記色材色選択機能は、前記選択色材取得機能により取得した前記画像形成部における複数色の色材の中でユーザに選択された所望の色材の色を色材色として選択する、
ことを特徴とする請求項１５記載のプログラム。
【請求項２０】
前記画像形成部における複数色の色材により形成可能な所望の色をユーザに選択させる色選択機能と、
この色選択機能によりユーザに選択された所望の色を形成するのに必要な色材の通知を受け付けるユーザ選択通知受付機能と、
このユーザ選択通知受付機能により受け付けたユーザに選択された所望の色を形成するのに必要な色材を取得する選択色材取得機能と、
を前記コンピュータに実行させ、
前記色材色選択機能は、前記選択色材取得機能により取得したユーザに選択された所望の色を形成するのに必要な色材を色材色として選択する、
ことを特徴とする請求項１５記載のプログラム。
【請求項２１】
前記色材色選択機能における前記原稿判別不能加工に用いる色材色の選択手法を、ユーザに選択させる選択手法選択機能を更にを前記コンピュータに実行させる、
ことを特徴とする請求項１５ないし２０のいずれか一記載のプログラム。
【発明の詳細な説明】
【技術分野】
【０００１】
本発明は、画像処理装置、画像形成装置およびプログラムに関する。
【背景技術】
【０００２】
近年、画像処理技術、画像形成技術の向上によって、デジタルカラー複写機やデジタルカラー複合機を用いて紙幣や有価証券等を複写した場合、その複写物と原本である本物とが容易に区別できないほど忠実な複写が可能となってきている。このため、紙幣や有価証券等のような特殊原稿については、複写を全く行なうことができないようにするか、あるいは、正しく複写を行なうことができないようにする措置をとることが必要である。
【０００３】
また、例えば企業においては、紙幣や証券など特殊原稿以外の一般文書の場合にあっても、文書内容の機密保持の観点から、複写等の出力が禁止されている機密文書が多数存在する。このような機密文書についても、複写を全く行なうことができないようにするか、あるいは、正しく複写を行なうことができないようにする措置をとることが必要である。
【０００４】
このようなことから、従来、特殊原稿や機密文書等の再現を禁止する再現禁止原稿を複写することに規制力を及ぼすことを目的とする種々の発明がなされている。以下、そのような発明の具体的な例を紹介する。
【０００５】
まず、紙幣や有価証券等の特殊原稿を判別する方法として、入力した画像データと予め登録してある特定のマーク（パターンデータ）とをパターンマッチング法で比較し、特定のマークが存在する場合に原稿が特殊原稿であると判別する方法が提案されている。特許文献１や特許文献２に記載された発明は、その代表的な例である。こうして、原稿が特殊原稿であると判定した場合には、その複写を禁止する、つまり、複写しないようにすることが容易である。
【０００６】
次いで、複写禁止された機密文書を判別する発明として、例えば、特許文献３や特許文献４には、機密文書に付された機密文書であることを示すマークを検出するようにした発明が記載されている。これは、複写禁止された機密文書には、一般的に、マル秘の印鑑や複写禁止のマーク等からなる機密文書であることを示すマークが押印されていることを利用している。こうして、原稿が機密文書であると判定した場合には、その複写を禁止する、つまり、複写しないようにすることが容易である。
【０００７】
さらに、特許文献５や特許文献６には、複写を禁止したい原稿画像に地紋を埋め込むことにより複写を抑制する技術が提案されている。これは、原稿画像に用いる用紙の背景にベース領域とメッセージ領域とをもつ地紋パターンが作成された用紙を用いるというものである。地紋パターンは、原稿画像においてはそれほど目立たず、原稿画像に含まれている情報の判読等に支障を及ぼさない。しかしながら、このような地紋パターンが埋め込まれた原稿画像が複写されると、例えばメッセージ領域の模様が浮かび上がる、というものである。そこで、メッセージ領域の模様として、例えば「複写禁止」というような文字を与えておくことにより、その複写物が複写禁止の機密書類であったことが一目瞭然となり、心理的に、複写に対する規制力を生じさせることができる。
【０００８】
また、複写を禁止したい原稿画像に地紋を埋め込むことにより複写を抑制する技術としては、地紋パターンが埋め込まれた原稿画像が複写されるとメッセージ領域の模様を浮かび上がらせるものの他、例えば原稿画像が複写される際にベタ塗りにより塗りつぶす等の原稿判別不能加工を施すものがある。
【０００９】
【特許文献１】特開平６−１２５４５９号公報
【特許文献２】特開２００１−８６３３０号公報
【特許文献３】特開平７−３６３１７号公報
【特許文献４】特開平７−８７３０９号公報
【特許文献５】特開平９−１６４７３９号公報
【特許文献６】特開２００１−１９７２９７号公報
【発明の開示】
【発明が解決しようとする課題】
【００１０】
ところが、前述したような複写を禁止したい原稿画像に地紋を埋め込むことにより複写を抑制する技術として、原稿画像が複写される際にベタ塗りにより塗りつぶす原稿判別不能加工を適用した場合には、以下に示すような問題がある。
【００１１】
原稿画像が複写される際にベタ塗りにより塗りつぶす原稿判別不能加工においては、ベタ塗りに必要な色材として固定の色のみを用いるようにしている。すなわち、原稿判別不能加工に用いる色材の減少度合いが、他の色材と比較して大きくなることになる。したがって、原稿判別不能加工に使用される色材がユーザにとって使用頻度の高い色材であった場合には、通常の用途としての色材利用に支障をきたすことになる。
【００１２】
本発明は、上記に鑑みてなされたものであって、原稿判別不能加工として原稿画像をベタ塗りにより塗りつぶすような加工を施す場合に、色材使用量の偏りを少なくすることができる画像処理装置、画像形成装置およびプログラムを提供することを目的とする。
【課題を解決するための手段】
【００１３】
上述した課題を解決し、目的を達成するために、請求項１にかかる発明の画像処理装置は、画像読取部により読み取った原稿の画像に基づいて画像データを生成し、複数色の色材により画像を形成する画像形成部に出力する画像処理装置において、前記原稿の前記画像データから、前記原稿が再現を禁止する再現禁止原稿であるか否かを検知する再現禁止原稿検知手段と、前記原稿を再現できないような原稿判別不能加工を前記画像データに施すための前記画像形成部の色材色を選択する色材色選択手段と、前記再現禁止原稿検知手段により前記原稿が再現禁止原稿であると検知された場合、前記色材色選択手段により選択された前記画像形成部の色材色を用いた前記原稿判別不能加工を、前記画像データに施す原稿判別不能加工手段と、この原稿判別不能加工手段により前記原稿判別不能加工を施した前記画像データを前記画像形成部に対して出力する画像データ出力手段と、を備える。
【００１４】
また、請求項２にかかる発明は、請求項１記載の画像処理装置において、前記色材色選択手段による色材色の選択は、予め決められている色材色選択の優先順位と前記画像形成部の印刷モードとに従って決定する。
【００１５】
また、請求項３にかかる発明は、請求項１記載の画像処理装置において、前記画像形成部から複数色の各色材の残量の通知を受け付ける残量通知受付手段と、この残量通知受付手段により受け付けた各色材の残量の中から残量の最も多い色材を取得する多残量色材取得手段と、を備え、前記色材色選択手段は、前記多残量色材取得手段により取得した前記画像形成部における複数色の色材の中で残量の最も多い色材の色を色材色として選択する。
【００１６】
また、請求項４にかかる発明は、請求項１記載の画像処理装置において、前記画像形成部から複数色の各色材の使用頻度の通知を受け付ける使用頻度通知受付手段と、この使用頻度通知受付手段により受け付けた各色材の使用頻度の中から使用頻度の最も少ない色材を取得する少頻度色材取得手段と、を備え、前記色材色選択手段は、前記少頻度色材取得手段により取得した前記画像形成部における複数色の色材の中で使用頻度の最も少ない色材の色を色材色として選択する。
【００１７】
また、請求項５にかかる発明は、請求項１記載の画像処理装置において、前記画像形成部における複数色の色材の中から所望の色材をユーザに選択させる色材選択手段と、この色材選択手段によりユーザに選択された所望の色材の通知を受け付けるユーザ選択通知受付手段と、このユーザ選択通知受付手段により受け付けたユーザに選択された所望の色材を取得する選択色材取得手段と、を備え、前記色材色選択手段は、前記選択色材取得手段により取得した前記画像形成部における複数色の色材の中でユーザに選択された所望の色材の色を色材色として選択する。
【００１８】
また、請求項６にかかる発明は、請求項１記載の画像処理装置において、前記画像形成部における複数色の色材により形成可能な所望の色をユーザに選択させる色選択手段と、この色選択手段によりユーザに選択された所望の色を形成するのに必要な色材の通知を受け付けるユーザ選択通知受付手段と、このユーザ選択通知受付手段により受け付けたユーザに選択された所望の色を形成するのに必要な色材を取得する選択色材取得手段と、を備え、前記色材色選択手段は、前記選択色材取得手段により取得したユーザに選択された所望の色を形成するのに必要な色材を色材色として選択する。
【００１９】
また、請求項７にかかる発明は、請求項１ないし６のいずれか一記載の画像処理装置において、前記色材色選択手段における前記原稿判別不能加工に用いる色材色の選択手法を、ユーザに選択させる選択手法選択手段を更に備える。
【００２０】
また、請求項８にかかる発明の画像形成装置は、複数色の色材により画像を形成する画像形成手段と、原稿の画像を読み取って画像データを得る画像読取手段と、この画像読取手段により読み取られた前記原稿の前記画像データから、前記原稿が再現を禁止する再現禁止原稿であるか否かを検知する再現禁止原稿検知手段と、前記原稿を再現できないような原稿判別不能加工を前記画像データに施すための前記画像形成部の色材色を選択する色材色選択手段と、前記再現禁止原稿検知手段により前記原稿が再現禁止原稿であると検知された場合、前記色材色選択手段により選択された前記画像形成部の色材色を用いた前記原稿判別不能加工を、前記画像データに施す原稿判別不能加工手段と、この原稿判別不能加工手段により前記原稿判別不能加工を施した前記画像データを前記画像形成手段に対して出力する画像データ出力手段と、を備える。
【００２１】
また、請求項９にかかる発明は、請求項８記載の画像形成装置において、前記色材色選択手段による色材色の選択は、予め決められている色材色選択の優先順位と前記画像形成手段の印刷モードとに従って決定する。
【００２２】
また、請求項１０にかかる発明は、請求項８記載の画像形成装置において、前記画像形成手段から複数色の各色材の残量の通知を受け付ける残量通知受付手段と、この残量通知受付手段により受け付けた各色材の残量の中から残量の最も多い色材を取得する多残量色材取得手段と、を備え、前記色材色選択手段は、前記多残量色材取得手段により取得した前記画像形成手段における複数色の色材の中で残量の最も多い色材の色を色材色として選択する。
【００２３】
また、請求項１１にかかる発明は、請求項８記載の画像形成装置において、前記画像形成手段から複数色の各色材の使用頻度の通知を受け付ける使用頻度通知受付手段と、この使用頻度通知受付手段により受け付けた各色材の使用頻度の中から使用頻度の最も少ない色材を取得する少頻度色材取得手段と、を備え、前記色材色選択手段は、前記少頻度色材取得手段により取得した前記画像形成手段における複数色の色材の中で使用頻度の最も少ない色材の色を色材色として選択する。
【００２４】
また、請求項１２にかかる発明は、請求項８記載の画像形成装置において、前記画像形成手段における複数色の色材の中から所望の色材をユーザに選択させる色材選択手段と、この色材選択手段によりユーザに選択された所望の色材の通知を受け付けるユーザ選択通知受付手段と、このユーザ選択通知受付手段により受け付けたユーザに選択された所望の色材を取得する選択色材取得手段と、を備え、前記色材色選択手段は、前記選択色材取得手段により取得した前記画像形成手段における複数色の色材の中でユーザに選択された所望の色材の色を色材色として選択する。
【００２５】
また、請求項１３にかかる発明は、請求項８記載の画像形成装置において、前記画像形成手段における複数色の色材により形成可能な所望の色をユーザに選択させる色選択手段と、この色選択手段によりユーザに選択された所望の色を形成するのに必要な色材の通知を受け付けるユーザ選択通知受付手段と、このユーザ選択通知受付手段により受け付けたユーザに選択された所望の色を形成するのに必要な色材を取得する選択色材取得手段と、を備え、前記色材色選択手段は、前記選択色材取得手段により取得したユーザに選択された所望の色を形成するのに必要な色材を色材色として選択する。
【００２６】
また、請求項１４にかかる発明は、請求項８ないし１３のいずれか一記載の画像形成装置において、前記色材色選択手段における前記原稿判別不能加工に用いる色材色の選択手法を、ユーザに選択させる選択手法選択手段を更に備える。
【００２７】
また、請求項１５にかかる発明のプログラムは、画像読取部により読み取った原稿の画像に基づいて画像データを生成し、複数色の色材により画像を形成する画像形成部に出力する処理をコンピュータに実行させるプログラムであって、前記コンピュータに、前記原稿の前記画像データから、前記原稿が再現を禁止する再現禁止原稿であるか否かを検知する再現禁止原稿検知機能と、前記原稿を再現できないような原稿判別不能加工を前記画像データに施すための前記画像形成部の色材色を選択する色材色選択機能と、前記再現禁止原稿検知機能により前記原稿が再現禁止原稿であると検知された場合、前記色材色選択機能により選択された前記画像形成部の色材色を用いた前記原稿判別不能加工を、前記画像データに施す原稿判別不能加工機能と、この原稿判別不能加工機能により前記原稿判別不能加工を施した前記画像データを前記画像形成部に対して出力する画像データ出力機能と、を実行させる。
【００２８】
また、請求項１６にかかる発明は、請求項１５記載のプログラムにおいて、前記色材色選択機能による色材色の選択は、予め決められている色材色選択の優先順位と前記画像形成部の印刷モードとに従って決定する。
【００２９】
また、請求項１７にかかる発明は、請求項１５記載のプログラムにおいて、前記画像形成部から複数色の各色材の残量の通知を受け付ける残量通知受付機能と、この残量通知受付機能により受け付けた各色材の残量の中から残量の最も多い色材を取得する多残量色材取得機能と、を前記コンピュータに実行させ、前記色材色選択機能は、前記多残量色材取得機能により取得した前記画像形成部における複数色の色材の中で残量の最も多い色材の色を色材色として選択する。
【００３０】
また、請求項１８にかかる発明は、請求項１５記載のプログラムにおいて、前記画像形成部から複数色の各色材の使用頻度の通知を受け付ける使用頻度通知受付機能と、この使用頻度通知受付機能により受け付けた各色材の使用頻度の中から使用頻度の最も少ない色材を取得する少頻度色材取得機能と、を前記コンピュータに実行させ、前記色材色選択機能は、前記少頻度色材取得機能により取得した前記画像形成部における複数色の色材の中で使用頻度の最も少ない色材の色を色材色として選択する。
【００３１】
また、請求項１９にかかる発明は、請求項１５記載のプログラムにおいて、前記画像形成部における複数色の色材の中から所望の色材をユーザに選択させる色材選択機能と、この色材選択機能によりユーザに選択された所望の色材の通知を受け付けるユーザ選択通知受付機能と、このユーザ選択通知受付機能により受け付けたユーザに選択された所望の色材を取得する選択色材取得機能と、を前記コンピュータに実行させ、前記色材色選択機能は、前記選択色材取得機能により取得した前記画像形成部における複数色の色材の中でユーザに選択された所望の色材の色を色材色として選択する。
【００３２】
また、請求項２０にかかる発明は、請求項１５記載のプログラムにおいて、前記画像形成部における複数色の色材により形成可能な所望の色をユーザに選択させる色選択機能と、この色選択機能によりユーザに選択された所望の色を形成するのに必要な色材の通知を受け付けるユーザ選択通知受付機能と、このユーザ選択通知受付機能により受け付けたユーザに選択された所望の色を形成するのに必要な色材を取得する選択色材取得機能と、を前記コンピュータに実行させ、前記色材色選択機能は、前記選択色材取得機能により取得したユーザに選択された所望の色を形成するのに必要な色材を色材色として選択する。
【００３３】
また、請求項２１にかかる発明は、請求項１５ないし２０のいずれか一記載のプログラムにおいて、前記色材色選択機能における前記原稿判別不能加工に用いる色材色の選択手法を、ユーザに選択させる選択手法選択機能を更にを前記コンピュータに実行させる。
【発明の効果】
【００３４】
請求項１にかかる発明によれば、原稿を再現できないような原稿判別不能加工を画像データに施すための画像形成部の色材色を選択し、原稿が再現を禁止する再現禁止原稿であると検知された場合、この選択された画像形成部の色材色を用いて原稿判別不能加工を画像データに施し、画像形成部に対して出力する。これにより、原稿判別不能加工として原稿画像をベタ塗りにより塗りつぶすような加工を施す場合に、原稿判別不能加工を施すための色材色を選択可能とすることにより、ベタ塗りに必要な色材として固定の色材のみを用いる場合に比べて、色材使用量の偏りを少なくすることができる。
【００３５】
また、請求項２にかかる発明によれば、色材色の選択は、予め決められている色材色選択の優先順位と画像形成部の印刷モードとに従って決定することにより、例えば、色材色選択の優先順位が、
Ｋ（ブラック）→Ｙ（イエロー）→Ｍ（マゼンダ）→Ｃ（シアン）
であった場合、フルカラーコピーモードであればＹＭＣＫ全色を用いてコピー画像が形成されるので、原稿判別不能加工には第１優先のＫ（ブラック）トナーが選択される。また、赤色単色モードであればＹＭ色を用いてコピー画像が形成されるので、原稿判別不能加工には第２優先のＹ（イエロー）トナーが選択される。これにより、ベタ塗りに必要な色材として固定の色材のみを用いる場合に比べて、色材使用量の偏りを少なくすることができる。
【００３６】
また、請求項３にかかる発明によれば、複数色の各色材の残量の中から残量の最も多い色材を取得し、取得した画像形成部における複数色の色材の中で残量の最も多い色材の色を色材色として選択することにより、色材使用量の偏りを確実に少なくすることができる。
【００３７】
また、請求項４にかかる発明によれば、複数色の各色材の使用頻度の中から使用頻度の最も少ない色材を取得し、取得した画像形成部における複数色の色材の中で使用頻度の最も少ない色材の色を色材色として選択することにより、色材使用量の偏りを確実に少なくすることができる。
【００３８】
また、請求項５にかかる発明によれば、ユーザに選択された所望の色材を取得し、取得した画像形成部における複数色の色材の中でユーザに選択された所望の色材の色を色材色として選択することにより、ユーザが残量が多いと推測したり、ユーザが使用頻度が少ないと推測した色材を用いて原稿判別不能加工することができるので、色材使用量の偏りを少なくすることができる。
【００３９】
また、請求項６にかかる発明によれば、ユーザに選択された所望の色を形成するのに必要な色材を取得し、取得した画像形成部における複数色の色材の中でユーザに選択された所望の色を形成するのに必要な色材を色材色として選択することにより、色材使用量の偏りを少なくすることができるとともに、例えば紫をユーザが選択した場合には、再現禁止原稿を複写したことが周りの人から見ても明らかになるので、更なる抑止力の向上が図られる。
【００４０】
また、請求項７にかかる発明によれば、原稿判別不能加工に用いる色材色の選択手法を、ユーザに選択させることにより、ユーザの自由度を向上させることができる。
【００４１】
また、請求項８にかかる発明によれば、原稿を再現できないような原稿判別不能加工を画像データに施すための画像形成手段の色材色を選択し、原稿が再現を禁止する再現禁止原稿であると検知された場合、この選択された画像形成手段の色材色を用いて原稿判別不能加工を画像データに施し、画像形成手段に対して出力する。これにより、原稿判別不能加工として原稿画像をベタ塗りにより塗りつぶすような加工を施す場合に、原稿判別不能加工を施すための色材色を選択可能とすることにより、ベタ塗りに必要な色材として固定の色材のみを用いる場合に比べて、色材使用量の偏りを少なくすることができる。
【００４２】
また、請求項９にかかる発明によれば、色材色の選択は、予め決められている色材色選択の優先順位と画像形成手段の印刷モードとに従って決定することにより、例えば、色材色選択の優先順位が、
Ｋ（ブラック）→Ｙ（イエロー）→Ｍ（マゼンダ）→Ｃ（シアン）
であった場合、フルカラーコピーモードであればＹＭＣＫ全色を用いてコピー画像が形成されるので、原稿判別不能加工には第１優先のＫ（ブラック）トナーが選択される。また、赤色単色モードであればＹＭ色を用いてコピー画像が形成されるので、原稿判別不能加工には第２優先のＹ（イエロー）トナーが選択される。これにより、ベタ塗りに必要な色材として固定の色材のみを用いる場合に比べて、色材使用量の偏りを少なくすることができる。
【００４３】
また、請求項１０にかかる発明によれば、複数色の各色材の残量の中から残量の最も多い色材を取得し、取得した画像形成手段における複数色の色材の中で残量の最も多い色材の色を色材色として選択することにより、色材使用量の偏りを確実に少なくすることができる。
【００４４】
また、請求項１１にかかる発明によれば、複数色の各色材の使用頻度の中から使用頻度の最も少ない色材を取得し、取得した画像形成手段における複数色の色材の中で使用頻度の最も少ない色材の色を色材色として選択することにより、色材使用量の偏りを確実に少なくすることができる。
【００４５】
また、請求項１２にかかる発明によれば、ユーザに選択された所望の色材を取得し、取得した画像形成手段における複数色の色材の中でユーザに選択された所望の色材の色を色材色として選択することにより、ユーザが残量が多いと推測したり、ユーザが使用頻度が少ないと推測した色材を用いて原稿判別不能加工することができるので、色材使用量の偏りを少なくすることができる。
【００４６】
また、請求項１３にかかる発明によれば、ユーザに選択された所望の色を形成するのに必要な色材を取得し、取得した画像形成手段における複数色の色材の中でユーザに選択された所望の色を形成するのに必要な色材を色材色として選択することにより、色材使用量の偏りを少なくすることができるとともに、例えば紫をユーザが選択した場合には、再現禁止原稿を複写したことが周りの人から見ても明らかになるので、更なる抑止力の向上が図られる。
【００４７】
また、請求項１４にかかる発明によれば、原稿判別不能加工に用いる色材色の選択手法を、ユーザに選択させることにより、ユーザの自由度を向上させることができる。
【００４８】
また、請求項１５にかかる発明によれば、原稿を再現できないような原稿判別不能加工を画像データに施すための画像形成部の色材色を選択し、原稿が再現を禁止する再現禁止原稿であると検知された場合、この選択された画像形成部の色材色を用いて原稿判別不能加工を画像データに施し、画像形成部に対して出力する。これにより、原稿判別不能加工として原稿画像をベタ塗りにより塗りつぶすような加工を施す場合に、原稿判別不能加工を施すための色材色を選択可能とすることにより、ベタ塗りに必要な色材として固定の色材のみを用いる場合に比べて、色材使用量の偏りを少なくすることができる。
【００４９】
また、請求項１６にかかる発明によれば、色材色の選択は、予め決められている色材色選択の優先順位と画像形成部の印刷モードとに従って決定することにより、例えば、色材色選択の優先順位が、
Ｋ（ブラック）→Ｙ（イエロー）→Ｍ（マゼンダ）→Ｃ（シアン）
であった場合、フルカラーコピーモードであればＹＭＣＫ全色を用いてコピー画像が形成されるので、原稿判別不能加工には第１優先のＫ（ブラック）トナーが選択される。また、赤色単色モードであればＹＭ色を用いてコピー画像が形成されるので、原稿判別不能加工には第２優先のＹ（イエロー）トナーが選択される。これにより、ベタ塗りに必要な色材として固定の色材のみを用いる場合に比べて、色材使用量の偏りを少なくすることができる。
【００５０】
また、請求項１７にかかる発明によれば、複数色の各色材の残量の中から残量の最も多い色材を取得し、取得した画像形成部における複数色の色材の中で残量の最も多い色材の色を色材色として選択することにより、色材使用量の偏りを確実に少なくすることができる。
【００５１】
また、請求項１８にかかる発明によれば、複数色の各色材の使用頻度の中から使用頻度の最も少ない色材を取得し、取得した画像形成部における複数色の色材の中で使用頻度の最も少ない色材の色を色材色として選択することにより、色材使用量の偏りを確実に少なくすることができる。
【００５２】
また、請求項１９にかかる発明によれば、ユーザに選択された所望の色材を取得し、取得した画像形成部における複数色の色材の中でユーザに選択された所望の色材の色を色材色として選択することにより、ユーザが残量が多いと推測したり、ユーザが使用頻度が少ないと推測した色材を用いて原稿判別不能加工することができるので、色材使用量の偏りを少なくすることができる。
【００５３】
また、請求項２０にかかる発明によれば、ユーザに選択された所望の色を形成するのに必要な色材を取得し、取得した画像形成部における複数色の色材の中でユーザに選択された所望の色を形成するのに必要な色材を色材色として選択することにより、色材使用量の偏りを少なくすることができるとともに、例えば紫をユーザが選択した場合には、再現禁止原稿を複写したことが周りの人から見ても明らかになるので、更なる抑止力の向上が図られる。
【００５４】
また、請求項２１にかかる発明によれば、原稿判別不能加工に用いる色材色の選択手法を、ユーザに選択させることにより、ユーザの自由度を向上させることができる。
【発明を実施するための最良の形態】
【００５５】
［第１の実施の形態］
本発明の第１の実施の形態を図１ないし図７に基づいて説明する。
【００５６】
（１．原稿画像の説明）
まず、本実施の形態において用いられる原稿について説明する。ここで、図１は本実施の形態において用いられる原稿を例示する平面図、図２は原稿判別不能加工が施された原稿画像の複写物を例示する平面図である。図１に示す例では、契約書である原稿１０１を作成する原稿用紙１０２として、その背景に、再現禁止原稿であることを示すドットパターン１０３が埋め込まれた原稿用紙１０２が用いられている。実際には、ドットパターン１０３は、原稿１０１においてはそれほど目立たず、原稿１０１に含まれている情報の判読等に支障を及ぼさない。もっとも、別の実施の形態として、ドットパターン１０３が形成されていない原稿用紙１０２を用い、契約書である原稿１０１を作成するに際して同時にドットパターン１０３を形成するようにしても良い。つまり、ドットパターン１０３は、原稿用紙１０２に予め印刷形成されていても良く、原稿用紙１０２に文字や図形等を画像形成するに際して同時に画像形成するようにしても良い。
【００５７】
ここで、「ドットパターン」というのは、原稿の画像データに含まれる背景画像または前面画像に埋め込まれた、つまりドットによって形成された何らかの地紋パターンを意味する。この場合、ドットというのは、画像を形成するドットを意味するに過ぎず、パターン自体がドットのパターンである必要はない。例えば、ドットの集合により形成される細線パターンや特定の模様パターン等もドットパターンになり得る。
【００５８】
このような原稿用紙１０２を用いて作成された原稿１０１は、後述するデジタルカラー複合機１などにより複写されると、図２に例示するように、転写紙２００上をベタ塗りにより塗りつぶす等の原稿判別不能加工が施された状態で出力される。このように、ドットパターン１０３が埋め込まれた原稿１０１が複写されると、ベタ塗りにより塗りつぶす等の原稿判別不能加工が施されることにより、機密文書や特殊原稿（紙幣や証券）などの再現を禁止する再現禁止原稿の複写を禁止することができる。
【００５９】
このような現象を生じさせるドットパターン１０３は、例えば、単一の大きさのドット１０４から構成されている。本実施の形態においては、図３及び図４に例示するように、複数ドット１０４から構成されるドットパターン１０５を一単位とし、このドットパターン１０５を複数配することによってドットパターン１０３を形成するようにしたものである。図３はドットパターン１０３を可視化した原稿を例示する平面図、図４は図３に例示するドットパターン１０５を拡大して示す模式図である。図３及び図４に例示するドットパターン１０５は、３つの孤立黒ドット１０４が所定の空間配置（位置関係）で存在するパターンである。したがって、この実施の形態では、複数のドット１０４から構成されるドットパターン１０５をパターンマッチングにより検知し、このドットパターン１０５の密度を特徴量として複写禁止とされる再現禁止原稿であるか否かを判定する。
【００６０】
（２．画像処理装置及び画像形成装置の説明）
本実施の形態は、画像処理装置及び画像形成装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称されるデジタルカラー複合機に適用した例を示す。
【００６１】
図５は、デジタルカラー複合機１のシステム制御系の構成を示すブロック図である。本実施の形態のデジタルカラー複合機１は、システム全体の制御を行うシステムコントローラ２を備えており、原稿画像の読み取り、及び公知の電子写真技術による転写紙への画像書き込みを行なう画像入出力制御装置３、本システムの設定の入力とその状態内容を表示する操作パネルＰを制御する操作パネル制御装置４をシステムコントローラ２で制御する構成とされている。このような画像入出力制御装置３及び操作パネル制御装置４とシステムコントローラ２とは、画像データと制御コマンドとが時空間で転送される画像データバス／制御コマンドバス５により接続されている。
【００６２】
システムコントローラ２は、システムコントローラ全体の制御を行なうＣＰＵ（Central Processing Unit）６、システムコントローラ２の制御プログラムを記憶したＲＯＭ（Read Only Memory）７、ＣＰＵ６の作業用メモリであるＲＡＭ（Random Access Memory）８、及びシステム全体の情報の保管を行なうＮＶＲＡＭ（Non Volatile Random Access Memory）９を主体として構築されており、このようなシステムコントローラ２は、スキャナアプリケーション、コピーアプリケーション、ＦＡＸアプリケーション、プリンタアプリケーション等の複数及び単体アプリケーションの機能を発揮する。
【００６３】
この他、システムコントローラ２には、ネットワーク（図示せず）との接続制御を行うネットワークＩ/Ｆコントローラ１０、システムＩ/Ｆ１１、プリンタ機能で使用する画像展開の作業用メモリであるワークメモリ１２、読み取り画像や書き込み画像のイメージデータを蓄える作業用メモリであるフレームメモリ１３、ＦＩＦＯバッファ１４，１５、メモリコントローラ１６、及びＨＤＤＣ１７が備えられている。
【００６４】
システムＩ／Ｆ１１は、ＣＰＵ６の命令によりシステム内で処理されるＦＡＸデータ、プリンタデータの転送制御を行う。
【００６５】
ＦＩＦＯバッファ１４は、入力画像をフレームメモリ１３への書き込み時のデータ転送速度変換を行う。同様に、ＦＩＦＯバッファ１５は、フレームメモリ１３の画像データを出力画像としてデータ転送する時の速度変換を行う。
【００６６】
メモリコントローラ１６は、ＣＰＵ６の制御なしにフレームメモリ１３及びＨＤＤＣ１７とバス間の画像の入出力をコントロールする。
【００６７】
ＨＤＤＣ１７は、内部に周知のＨＤＤ（Hard Disk Drive）を有しており、ＨＤＤへ画像データの入出力制御を行う。ＨＤＤには、後述する画像読み取りユニット２７で読み取られた画像及びネットワーク経由で取得した画像が保存される。
【００６８】
操作パネル制御装置４は、操作パネル制御装置全体の制御を行なうＣＰＵ１８、操作パネル制御装置の制御プログラムを記憶したＲＯＭ１９、及びＣＰＵ１８の作業用メモリであるＲＡＭ２０を主体として構築されており、操作パネルＰは入力装置２１と表示装置２２とで構成されている。入力装置２１は、例えばタッチパネルで構成されており、ユーザがシステム設定の入力を行う装置である。表示装置２２は、例えばＬＣＤ（Liquid Crystal Display）で構成されており、ユーザがシステムの設定内容、状態を確認するためそれらを表示する装置である。
【００６９】
画像入出力制御装置３は、画像入出力制御装置全体の制御を行なうＣＰＵ２３、画像入出力制御装置３の制御プログラムを記憶したＲＯＭ２４、及びＣＰＵ２３の作業用メモリであるＲＡＭ２５を主体として構築されている。
【００７０】
この他、画像入出力制御装置３には、原稿搬送制御ユニット２６、画像読み取りユニット２７、画像書き込みユニット２８、電子写真プロセスユニット２９、転写紙搬送制御ユニット３０、及び課金装置Ｉ／Ｆ３１が備えられている。
【００７１】
原稿搬送制御ユニット２６は、複数枚積載された原稿から画像読み取りユニット２７が読み取る原稿を１枚ずつ搬送する。また、原稿搬送制御ユニット２６は、原稿のサイズ検出も行う。
【００７２】
画像読み取りユニット２７は、ランプ光を原稿搬送制御ユニット２６により搬送される原稿で反射しＣＣＤで読み取る、公知の光学式スキャナの制御を行うユニットである。すなわち、画像読み取りユニット２７は、画像読取部及び画像読取手段である。
【００７３】
画像書き込みユニット２８は、レーザ光を画素周波数で点灯し、ポリゴンスキャナでスキャンする公知の光学書き込み装置の制御ユニットである。電子写真プロセスユニット２９は、感光体上にレーザ光で書きこまれた潜像画像をトナーで実像化して用紙に転写、定着する周知の電子写真技術を制御するユニットである。本実施の形態の電子写真プロセスユニット２９は、例えばブラック（Ｋ）、イエロー（Ｙ）、マゼンタ（Ｍ）、シアン（Ｃ）の４色トナーの各色材の画像プロセス部が直列に配置されたタンデム方式の電子写真プロセスユニットを想定する。なお、電子写真は１つの例であり、インクジェットのような作像法であっても本発明は適用可能とする。すなわち、画像書き込みユニット２８及び電子写真プロセスユニット２９は、画像形成部及び画像形成手段である。
【００７４】
転写紙搬送制御ユニット３０は、電子写真プロセスユニット２９で画像が転写される転写紙の搬送制御を行う。
【００７５】
課金装置Ｉ／Ｆ３１は、画像入出力制御装置３と課金装置（図示せず）を接続するため、ＣＰＵの命令を課金装置の専用Ｉ／Ｆへ変換し、課金装置と印刷条件、課金、印刷可否信号の送受信を行う。
【００７６】
加えて、本実施の形態の画像入出力制御装置３には、地紋パターン認識を行う地紋認識ユニット３２が備えられている。この地紋認識ユニット３２は、再現禁止原稿検知手段として機能するものであり、画像読み取りユニット２７から送られた２値化された画像データに対して地紋パターン認識を行い、原稿が再現禁止原稿であるか否かを判断し、その結果を画像読み取りユニット２７に送る。
【００７７】
ここで、地紋認識ユニット３２における地紋パターン認識について説明する。図６は、地紋認識ユニット３２の構成を示すブロック図である。図６に示すように、地紋認識ユニット３２は、孤立ドット検出部３３、位相情報記憶部３４、パターンマッチング部３５、及び地紋検出部３６で構成されている。
【００７８】
画像読み取りユニット２７から送られた２値化された画像データは、孤立ドット検出部３３に送られる。孤立ドット検出部３３では、主走査ｄ画素×副走査ｌライン中にある孤立画素を検出する。孤立ドット検出部３３での孤立画素の検出情報は、画像データとともに位相情報記憶部３４に送られる。
【００７９】
位相情報記憶部３４では、主走査ｄ画素×副走査ｌライン中にある孤立画素情報から、主走査ｄ画素×Ｂ数分のＢｄと副走査ｌライン×Ｌ数分のＬｌであるＢｄ×Ｌｌブロック中で孤立画素の位置関係を記憶する。
【００８０】
続くパターンマッチング部３５では、位相情報記憶部３４で記憶されたＢｄ×Ｌｌブロック中の孤立画素の位置関係情報と、所定の地紋パターンとのマッチングを行う。なお、本実施の形態においては、前述した図３及び図４に例示したように、３つの孤立黒ドット１０４が所定の空間配置（位置関係）で存在するドットパターン１０５をパターンマッチングにより検知するものである。このパターンマッチング部３５によるパターンマッチングの結果は、地紋検出部３６に送られる。
【００８１】
地紋検出部３６では、副走査ライン中で所定のｎ個のパターンマッチング検出により地紋であると認識されると、検出信号（地紋検出結果）が画像読み取りユニット２７に対して出力される。
【００８２】
なお、孤立ドット検出部３３及びパターンマッチング部３５は、原稿読み取り時に所定以上の解像力が必要とされる。原稿画像データの解像度が所定より低い場合は、画素の干渉から地紋パターンを検出することができなくなる。
【００８３】
そして、地紋検出結果を受け取った画像読み取りユニット２７は、地紋認識ユニット３２から送られた地紋検出結果に基づき、ＲＯＭ２４に記憶されている制御プログラムに従ったＣＰＵ２３の指示により、画像データを所定の階調と位相に固定化し、読み取った原稿画像の判読ができないように画像加工（原稿判別不能加工）を施す（原稿判別不能加工手段）。
【００８４】
ここで、原稿判別不能加工について簡単に説明する。本実施の形態の画像読み取りユニット２７における地紋認識ユニット３２からの地紋検出結果に基づく原稿判別不能加工は、例えば原稿１０１を画像読み取りユニット２７で読み取った原稿画像に対して所定の色のみを用いたベタ塗りにより塗りつぶす加工を施すようにしている。すなわち、このような加工を施された画像データを画像書き込みユニット２８に出力し（画像データ出力手段）、電子写真プロセスユニット２９で印刷すると、図２に示したように、転写紙２００上をベタ塗りにより塗りつぶす等の原稿判別不能加工が施された状態で出力されることになる。このように、地紋認識された場合には、画像読み取りユニット２７で読み取った原稿画像に対して原稿判別不能加工が施されることにより、再現禁止原稿などの複写を禁止することができる。
【００８５】
（３．原稿判別不能加工における色指定処理の説明）
ところで、上述したような原稿画像が複写される際にベタ塗りにより塗りつぶす原稿判別不能加工においては、ベタ塗りに必要な色材として単一の色のみを用いるようにしている。すなわち、電子写真プロセスユニット２９においては、原稿判別不能加工に用いる色材の減少度合いは、他の色材と比較すると大きくなる。したがって、原稿判別不能加工に使用される色材がユーザにとって使用頻度の高い色材であった場合には、通常の用途としての色材利用に支障をきたすことになる。
【００８６】
そこで、本実施の形態のデジタルカラー複合機１では、画像読み取りユニット２７のＣＰＵ２３がＲＯＭ２４に記憶されている制御プログラムに従って動作することにより、原稿判別不能加工に用いる色材色を可変としている。より詳細には、画像読み取りユニット２７により原稿判別不能加工を行う際、システムコントローラ２から指示された色材色を用いて、原稿判別不能加工が行われる。以下において、本実施の形態のデジタルカラー複合機１が有している特徴的な機能である原稿判別不能加工における色選択処理について、図７のフローチャートを参照して説明する。
【００８７】
図７に示すように、原稿判別不能加工における色選択処理が開始されると、ＣＰＵ２３は、システムコントローラ２のＮＶＲＡＭ９に記憶されている色材色選択の優先順位を取得する（ステップＳ１）。
【００８８】
色材色選択の優先順位を取得すると、原稿判別不能加工に用いる色材色を印刷モードに従って決定する（ステップＳ２）。例えば、システムコントローラ２からの色材色選択の優先順位が、
Ｋ（ブラック）→Ｙ（イエロー）→Ｍ（マゼンダ）→Ｃ（シアン）
であった場合、フルカラーコピーモードであればＹＭＣＫ全色を用いてコピー画像が形成されるので、原稿判別不能加工には第１優先のＫ（ブラック）トナーが選択される。また、赤色単色モードであればＹＭ色を用いてコピー画像が形成されるので、原稿判別不能加工には第２優先のＹ（イエロー）トナーが選択される。
【００８９】
その後、このようにして本来の原稿再現に用いられる色材の中から最高優先の色材が選択されて、このようにして選択された色材を使用するような原稿画像に対する原稿判別不能加工が行われる。
【００９０】
このように本実施の形態によれば、稿を再現できないような原稿判別不能加工を画像データに施すための画像形成部の色材色を選択し、原稿が再現を禁止する再現禁止原稿であると検知された場合、この選択された画像形成部の色材色を用いて原稿判別不能加工を画像データに施し、画像形成部に対して出力する。これにより、原稿判別不能加工として原稿画像をベタ塗りにより塗りつぶすような加工を施す場合に、原稿判別不能加工を施すための色材色を選択可能とすることにより、ベタ塗りに必要な色材として固定の色材のみを用いる場合に比べて、色材使用量の偏りを少なくすることができる。
【００９１】
［第２の実施の形態］
次に、本発明の第２の実施の形態を図８に基づいて説明する。なお、前述した第１の実施の形態と同じ部分は同じ符号で示し説明も省略する。第１の実施の形態においては、システムコントローラ２のＮＶＲＡＭ９に記憶されている色材色選択の優先順位に基づいて原稿判別不能加工に用いる色材色を決定するようにしたが、色材色選択の優先順位はこのように固定的な場合に限るものではない。本実施の形態は、電子写真プロセスユニット２９において残量の最も多い色材を、優先的に原稿判別不能加工に用いる色材色とするものである。
【００９２】
本実施の形態の電子写真プロセスユニット２９は、各色材のトナー残量を定期的にシステムコントローラ２へと通知する（残量通知受付手段）。トナー残量検知方法としては、特開２００２−２８７４７７号公報に開示されている技術を用いることができる。概略的には、トナーを収容する容器の外側に、赤外線光を発生する発光ダイオードのような発光部材と、容器の中を通過してくる発光部材からの赤外線光を検知するためのフォトダイオードのような受光部材とを配置し、受光部材の光検知信号のレベルや変動状態に応じてトナー残量を判断するものである。
【００９３】
電子写真プロセスユニット２９から各色材のトナー残量を通知された、システムコントローラ２は、トナー残量の最も多い色材を判断し、ＮＶＲＡＭ９に記憶する。
【００９４】
次に、画像読み取りユニット２７のＣＰＵ２３がＲＯＭ２４に記憶されている制御プログラムに従って実行する原稿判別不能加工における色選択処理について、図８のフローチャートを参照して説明する。
【００９５】
図８に示すように、原稿判別不能加工における色選択処理が開始されると、ＣＰＵ２３は、システムコントローラ２のＮＶＲＡＭ９に記憶されているトナー残量の最も多い色材を取得する（ステップＳ１１：多残量色材取得手段）。
【００９６】
トナー残量の最も多い色材を取得すると、当該トナー残量の最も多い色材を原稿判別不能加工に用いる色材色として決定する（ステップＳ１２：色材色選択手段）。
【００９７】
その後、このようにして選択されたトナー残量の最も多い色材を使用するような原稿画像に対する原稿判別不能加工が行われる。
【００９８】
このように本実施の形態によれば、複数色の各色材の残量の中から残量の最も多い色材を取得し、取得した画像形成部における複数色の色材の中で残量の最も多い色材の色を色材色として選択することにより、色材使用量の偏りを確実に少なくすることができる。
【００９９】
［第３の実施の形態］
次に、本発明の第３の実施の形態を図９および図１０に基づいて説明する。なお、前述した第１の実施の形態と同じ部分は同じ符号で示し説明も省略する。第１の実施の形態においては、システムコントローラ２のＮＶＲＡＭ９に記憶されている色材色選択の優先順位に基づいて原稿判別不能加工に用いる色材色を決定するようにしたが、色材色選択の優先順位はこのように固定的な場合に限るものではない。本実施の形態は、電子写真プロセスユニット２９において使用頻度の最も少ない色材を、優先的に原稿判別不能加工に用いる色材色とするものである。
【０１００】
本実施の形態の電子写真プロセスユニット２９は、各色材の使用頻度を定期的にシステムコントローラ２へと通知する（使用頻度通知受付手段）。
【０１０１】
このようにして電子写真プロセスユニット２９から定期的に通知される各色材の使用頻度は、システムコントローラ２内のＮＶＲＡＭ９に累計データとして蓄積される。システムコントローラ２は、この蓄積データにより使用頻度の最も少ない色材を判断し、ＮＶＲＡＭ９に記憶する。
【０１０２】
色材の使用頻度を示すものとしては、作像回数を用いることができる。具体的には、各印刷モード（フルカラー印刷モード、Ｂｋ印刷モード、赤黒印刷モード）の実行回数を記憶しておくことにより、各色材による作像回数を算出することができる。図９は、各印刷モードの実行回数に基づく作像回数の算出例である。図９の例によれば、フルカラー印刷モードとＢｋ印刷モードと赤黒印刷モードとがそれぞれ１回ずつ実行されており、作像回数は色材Ｙが2回、色材Ｍが２回、色材Ｃが２回、色材Ｋが３回である。すなわち、図９の例によれば、色材Ｋが高頻度、色材Ｃが低頻度であることがわかる。したがって、図９に示す例によれば、色材Ｃが使用頻度の最も少ない色材としてせんたくされることになる。また、色材の使用頻度を示すものとしては、ＬＤによる感光体への書込量を用いることができる。具体的には、各色感光体へのＬＤ照射範囲やＬＤ照射時間、ＬＤ照射強度に基づいて色材の使用量を算出することができる。
【０１０３】
次に、画像読み取りユニット２７のＣＰＵ２３がＲＯＭ２４に記憶されている制御プログラムに従って実行する原稿判別不能加工における色選択処理について、図１０のフローチャートを参照して説明する。
【０１０４】
図１０に示すように、原稿判別不能加工における色選択処理が開始されると、ＣＰＵ２３は、システムコントローラ２のＮＶＲＡＭ９に記憶されている使用頻度の最も少ない色材を取得する（ステップＳ２１：少頻度色材取得手段）。
【０１０５】
使用頻度の最も少ない色材を取得すると、当該使用頻度の最も少ない色材を原稿判別不能加工に用いる色材色として決定する（ステップＳ２２：色材色選択手段）。
【０１０６】
その後、このようにして選択された使用頻度の最も少ない色材を使用するような原稿画像に対する原稿判別不能加工が行われる。
【０１０７】
このように本実施の形態によれば、複数色の各色材の使用頻度の中から使用頻度の最も少ない色材を取得し、取得した画像形成部における複数色の色材の中で使用頻度の最も少ない色材の色を色材色として選択することにより、色材使用量の偏りを確実に少なくすることができる。
【０１０８】
［第４の実施の形態］
次に、本発明の第４の実施の形態を図１１ないし図１３に基づいて説明する。なお、前述した第１の実施の形態と同じ部分は同じ符号で示し説明も省略する。第１の実施の形態においては、色材色選択の優先順位をシステムコントローラ２のＮＶＲＡＭ９に予め記憶しておき、この色材色選択の優先順位と印刷モードとに従って原稿判別不能加工に用いる色材色を決定するようにしたが、本実施の形態は、原稿判別不能加工に用いる色材色をユーザの意図に応じて選択可能とするようにしたものである。
【０１０９】
本実施の形態の操作パネル制御装置４は、操作パネルＰを介してユーザから指定された色材を、システムコントローラ２へと通知する（色材選択手段、ユーザ選択通知受付手段）。図１１は、操作パネルＰにおける原稿判別不能加工に用いる色材色選択画面の一例を示す平面図である。図１１に示すように、原稿判別不能加工に用いる色材色選択画面においては、操作パネルＰの表示装置２２に各色材の色を指定するためのボタンＢ１〜Ｂ４が表示されており、ユーザはタッチパネルである入力装置２１を介して原稿判別不能加工に用いる色材を指定する。
【０１１０】
システムコントローラ２は、このようにして操作パネルＰを介してユーザから指定された色材を、システムコントローラ２内のＮＶＲＡＭ９に記憶する。
【０１１１】
次に、画像読み取りユニット２７のＣＰＵ２３がＲＯＭ２４に記憶されている制御プログラムに従って実行する原稿判別不能加工における色選択処理について、図１２のフローチャートを参照して説明する。
【０１１２】
図１２に示すように、原稿判別不能加工における色選択処理が開始されると、ＣＰＵ２３は、システムコントローラ２のＮＶＲＡＭ９に記憶されている操作パネルＰを介してユーザが指定した色材を取得する（ステップＳ３１：選択色材取得手段）。
【０１１３】
操作パネルＰを介してユーザが指定した色材を取得すると、当該操作パネルＰを介してユーザが指定した色材を原稿判別不能加工に用いる色材色として決定する（ステップＳ３２：色材色選択手段）。
【０１１４】
その後、このようにして選択された操作パネルＰを介してユーザが指定した色材を使用するような原稿画像に対する原稿判別不能加工が行われる。
【０１１５】
このように本実施の形態によれば、ユーザに選択された所望の色材を取得し、取得した画像形成部における複数色の色材の中でユーザに選択された所望の色材の色を色材色として選択することにより、ユーザが残量が多いと推測したり、ユーザが使用頻度が少ないと推測した色材を用いて原稿判別不能加工することができるので、色材使用量の偏りを少なくすることができる。
【０１１６】
なお、図１１に示すような原稿判別不能加工に用いる色材色選択画面上のボタンＢ１〜Ｂ４をユーザの好みの色材に優先順位をつけて順番に操作させることにより、第１の実施の形態で説明したような色材色選択の優先順位を、システムコントローラ２のＮＶＲＡＭ９に記憶させることが可能である。
【０１１７】
また、図１３に示すように、原稿判別不能加工に用いる色材色選択画面において、操作パネルＰの表示装置２２に原稿判別不能加工に用いる色を指定するためのボタンＢ５〜Ｂ８を表示し、ユーザはタッチパネルである入力装置２１を介して原稿判別不能加工に用いる色を指定するようにしても良い。なお、システムコントローラ２へは、選択された色を形成するのに必要な色材が通知される（色選択手段、ユーザ選択通知受付手段）。例えば、ボタンＢ８の紫をユーザが指定した場合には、再現禁止原稿を複写したことが周りの人から見ても明らかになるので、更なる抑止力の向上が図られる。
【０１１８】
［第５の実施の形態］
次に、本発明の第５の実施の形態を図１４に基づいて説明する。なお、前述した第１の実施の形態ないし第４の実施の形態と同じ部分は同じ符号で示し説明も省略する。本実施の形態は、第１の実施の形態ないし第４の実施の形態で説明した各種の原稿判別不能加工に用いる色材色の選択手法を、ユーザの意図に応じて選択可能とするようにしたものである。
【０１１９】
本実施の形態の操作パネル制御装置４は、操作パネルＰを介してユーザから指定された原稿判別不能加工に用いる色材色の選択方法に従って選択された色材を、システムコントローラ２へと通知する（選択手法選択手段）。図１４は、操作パネルＰにおける原稿判別不能加工に用いる色材色の選択方法の選択画面の一例を示す平面図である。図１４に示すように、原稿判別不能加工に用いる色材色の選択方法の選択画面においては、操作パネルＰの表示装置２２に前述した第１の実施の形態ないし第４の実施の形態で説明した原稿判別不能加工に用いる色材色の選択方法を指定するためのボタンＢ１１〜Ｂ１５が表示されており、ユーザはタッチパネルである入力装置２１を介して原稿判別不能加工に用いる色材色の選択方法を指定する。
【０１２０】
ボタンＢ１１が操作された場合には、操作パネル制御装置４は、操作パネルＰを介してユーザから指定された原稿判別不能加工に用いる色材色の選択方法がトナー残量の最も多い色材を選択するものである旨を、システムコントローラ２へと通知する。通知を受け取ったシステムコントローラ２は、原稿判別不能加工における色選択処理を行なう画像読み取りユニット２７に対して、トナー残量の最も多い色材を通知する。
【０１２１】
ボタンＢ１２が操作された場合には、操作パネル制御装置４は、操作パネルＰを介してユーザから指定された原稿判別不能加工に用いる色材色の選択方法が使用頻度の最も少ない色材を選択するものである旨を、システムコントローラ２へと通知する。通知を受け取ったシステムコントローラ２は、原稿判別不能加工における色選択処理を行なう画像読み取りユニット２７に対して、使用頻度の最も少ない色材を通知する。
【０１２２】
ボタンＢ１３が操作された場合には、操作パネル制御装置４は、操作パネルＰを介してユーザから指定された原稿判別不能加工に用いる色材色の選択方法がユーザの好みの色材を選択するものである旨を、システムコントローラ２へと通知する。通知を受け取ったシステムコントローラ２は、原稿判別不能加工における色選択処理を行なう画像読み取りユニット２７に対して、ユーザの好みの色材を通知する。
【０１２３】
ボタンＢ１４が操作された場合には、操作パネル制御装置４は、操作パネルＰを介してユーザから指定された原稿判別不能加工に用いる色材色の選択方法がユーザの好みの色を選択するものである旨を、システムコントローラ２へと通知する。通知を受け取ったシステムコントローラ２は、原稿判別不能加工における色選択処理を行なう画像読み取りユニット２７に対して、ユーザの好みの色を通知する。
【０１２４】
ボタンＢ１５が操作された場合には、操作パネル制御装置４は、操作パネルＰを介してユーザから指定された原稿判別不能加工に用いる色材色の選択方法が優先順位が高い色材を選択するものである旨を、システムコントローラ２へと通知する。通知を受け取ったシステムコントローラ２は、原稿判別不能加工における色選択処理を行なう画像読み取りユニット２７に対して、ＮＶＲＡＭ９に記憶されている色材色選択の優先順位を通知する。
【０１２５】
このように本実施の形態によれば、原稿判別不能加工に用いる色材色の選択手法を、ユーザに選択させることにより、ユーザの自由度を向上させることができる。
【０１２６】
なお、各実施の形態においては、処理の一部をデジタル回路構成のハードウェア資源によって実行される例を示したが、これに限るものではなく、そのような再現禁止原稿を検出判定し（再現禁止原稿検知手段）、色材色を選択し（色材色選択手段）、その複写を原稿判別不能加工により禁止する（原稿判別不能加工手段）一連の処理を、デジタルカラー複合機１のハードウェア資源にインストールされたコンピュータプログラムによって実行するようにしても良い。
【図面の簡単な説明】
【０１２７】
【図１】本発明の第１の実施の形態において用いられる原稿を例示する平面図である。
【図２】原稿判別不能加工が施された原稿画像の複写物を例示する平面図である。
【図３】ドットパターンを可視化した原稿を例示する平面図である。
【図４】図３に例示するドットパターンを拡大して示す模式図である。
【図５】デジタルカラー複合機のシステム制御系の構成を示すブロック図である。
【図６】地紋認識ユニットの構成を示すブロック図である。
【図７】原稿判別不能加工における色選択処理の流れを示すフローチャートである。
【図８】本発明の第２の実施の形態の原稿判別不能加工における色選択処理の流れを示すフローチャートである。
【図９】本発明の第３の実施の形態の電子写真プロセスユニットからシステムコントローラに定期的に通知される各色材の使用頻度である各印刷モードの実行回数に基づく作像回数の算出例を示す説明図である。
【図１０】原稿判別不能加工における色選択処理の流れを示すフローチャートである。
【図１１】本発明の第４の実施の形態の操作パネルにおける原稿判別不能加工に用いる色材色選択画面の一例を示す平面図である。
【図１２】原稿判別不能加工における色選択処理の流れを示すフローチャートである。
【図１３】操作パネルにおける原稿判別不能加工に用いる色材色選択画面の別の一例を示す平面図である。
【図１４】本発明の第５の実施の形態の操作パネルにおける原稿判別不能加工に用いる色材色の選択方法の選択画面の一例を示す平面図である。
【符号の説明】
【０１２８】
１        画像処理装置、画像形成装置
２７      画像読取部、画像読取手段
２８，２９    画像形成部、画像形成手段
３２      再現禁止原稿検知手段
１０１    原稿
【図１】
2006262376.tif 000003
【図２】
2006262376.tif 000004
【図３】
2006262376.tif 000005
【図４】
2006262376.tif 000006
【図５】
2006262376.tif 000007
【図６】
2006262376.tif 000008
【図７】
2006262376.tif 000009
【図８】
2006262376.tif 000010
【図９】
2006262376.tif 000011
【図１０】
2006262376.tif 000012
【図１１】
2006262376.tif 000013
【図１２】
2006262376.tif 000014
【図１３】
2006262376.tif 000015
【図１４】
2006262376.tif 000016